(57)【要約】      （修正有）【課題】簡単な施工でコストをおさえることができるとともに、屋内階段上部である上階の床下にあたる部分も有効活用できる階段利用構造を提供する。【解決手段】階段利用構造の代表的な構成は、上階２と下階３に亘って設けられた屋内階段１と、屋内階段１の中間段１ａから周囲壁４に亘って設けられ、階段上空間Ｓ１を中間上空間Ｓ１ａと中間下空間Ｓ１ｂに仕切る中間床５と、中間上空間Ｓ１ａに出入りするための出入口２ａと、を有することを特徴とする。【選択図】図１
2008138381.tif 000002
【特許請求の範囲】
【請求項１】
上階と下階に亘って設けられた屋内階段と、
前記屋内階段の中間段から周囲壁に亘って設けられ、階段上空間を中間上空間と中間下空間に仕切る中間床と、
前記中間上空間に出入りするための出入口と、
を有することを特徴とする階段利用構造。
【請求項２】
前記出入口は、前記上階の床と同じ高さで、かつ、上階からの下りはじめ部位の上方であることを特徴とする請求項１に記載の階段利用構造。
【請求項３】
前記屋内階段の上方の吹抜開口部は、その全部又は一部を前記出入口とし、前記出入口とした部分以外の部分を前記上階の拡張床とし、
前記出入口の全部又は一部を覆う蓋を設けたことを特徴とする請求項１又は２に記載の階段利用構造。
【発明の詳細な説明】
【技術分野】
【０００１】
本発明は、屋内階段の中間段以上を新しい空間として使用できる階段利用構造に関するものである。
【背景技術】
【０００２】
従来、屋内階段を設置した２世帯住宅がある。このような２世帯住宅において、特許文献１に記載されているように、未利用空間である屋内階段上方の吹き抜け部を有効に活用する構造として、階段上方の吹き抜け部に階段に沿って略水平にガイドレールを設け、該ガイドレールに沿ってスライド自在となるように収納庫本体を設けた階段上収納庫が提案されている。
【０００３】
【特許文献１】特開平１１−２７６２５４号公報
【発明の開示】
【発明が解決しようとする課題】
【０００４】
しかしながら、上記特許文献１に記載された２世帯住宅等において、近年、住宅の耐用期間が著しく長くなっており、屋内階段が設置されているが故に過干渉などが原因で親子の不仲が発生する場合がある。
【０００５】
この解決策として、階上階の世帯は屋外階段などを新設し、屋内階段を撤去してしまう解決方法もとられるが、屋内階段は構造躯体と一体になっている場合も多く、撤去修復に多大な手間、コストがかかる。さらに、再び屋内階段が必要になった場合に、屋内階段を設ける必要があり、コストがかかる。
【０００６】
また、上階の世帯は屋外階段などを利用し、屋内階段をふさぐ解決方法もとられるが、残った屋内階段がデットスペースとなる。すなわち、撤去せずに残した既存階段（屋内階段）は、下階から手の届く範囲の空間のみを物置などに利用できるが、上階の床下にあたる部分は全く無駄な空間になっていた。
【０００７】
そこで本発明は、簡単な施工でコストをおさえることができるとともに、屋内階段上部である上階の床下にあたる部分も有効活用できる階段利用構造を提供することを目的とする。
【課題を解決するための手段】
【０００８】
（１）上記課題を解決するために本発明に係る階段利用構造の第一の構成は、上階と下階に亘って設けられた屋内階段と、前記屋内階段の中間段から周囲壁に亘って設けられ、階段上空間を中間上空間と中間下空間に仕切る中間床と、前記中間上空間に出入りするための出入口と、を有することを特徴とする。
【０００９】
（２）本発明に係る階段利用構造の第二の構成は、上記第一の構成において、前記出入口は、前記上階の床と同じ高さで、かつ、上階からの下りはじめ部位の上方であることを特徴とする。
【００１０】
（３）本発明に係る階段利用構造の第三の構成は、上記第一又は第二の構成において、前記屋内階段の上方の吹抜開口部は、前記出入口と前記上階の拡張床とからなり、前記出入口の全部又は一部を覆う蓋を設けたことを特徴とする。
【発明の効果】
【００１１】
（１）第一の構成の階段利用構造によれば、階段上空間を上階と下階に分離する場合や住宅のリフォーム工事等で別の位置に階段を新設したりする場合に不要になる屋内階段を解体撤去することなく有効活用することができる。また、屋内階段上部である上階の床下にあたる中間上空間も有効活用できる。また、屋内階段を撤去しないので、簡単な工事で再度屋内階段として利用することもできる。また、簡単な施工でコストをおさえることができる。
【００１２】
（２）第二の構成の階段利用構造によれば、屋内階段の一部をそのまま階段上中間を床下収納空間として使用でき、また既存階段を利用して床下収納内部に下りることができ、重い物も収納しやすい。
【００１３】
（３）第三の構成の階段利用構造によれば、上階の有効床面積を広くとれるので、地上階に設置される一般的な床下収納同様、人の通行の支障にならない。
【発明を実施するための最良の形態】
【００１４】
［第一実施形態］
本発明に係る階段利用構造の第一実施形態について、図を用いて説明する。図１は本実施形態に係る階段利用構造の斜視図である。図２は階段利用構造の側断面図である。
【００１５】
図１、図２に示すように、本実施形態の階段利用構造Ａは、屋内階段１、上階２、下階３、中間床５、蓋６、壁７を有する。
【００１６】
屋内階段１は、上階２と下階３に亘って設けられている。屋内階段１は、下階３の床３ｂに近い部分の方向が９０度曲がった下曲がり階段である（図５参照）。
【００１７】
中間床５は、屋内階段１の中間段１ａから周囲壁４に亘って設けられ、階段上空間Ｓ１を中間上空間Ｓ１ａと中間下空間Ｓ１ｂに仕切る。中間段１ａは、屋内階段１のほぼ中央の高さに設けられる。中間床５は、重い物Ｇも収納できるような構造とする。
【００１８】
屋内階段１の上方の吹抜開口部８は、階段を利用する際に人が通る空間を確保するために開口されたものである。吹抜開口部８は、その一部を出入口２ａとしてそのまま残し、出入口２ａとした部分以外の部分に板を張って上階２の拡張床２ｃとしている。
【００１９】
出入口２ａは、階段を利用する際に人が通る空間である。出入口２ａは、上階２の床２ｂと同じ高さで、かつ、上階２からの下りはじめ部位１ｂの上方である。
【００２０】
蓋６は、出入口２ａの全部を覆う。蓋６は、出入口２ａを覆った状態で、拡張床として機能する。
【００２１】
なお、出入口２ａ、拡張床２ｃ、蓋６の大きさは、特に限定されるものではない。例えば、図３（ａ）に示すように、蓋６が出入口２ａの一部のみを覆うようにしてもよい。かかる構造とすれば、蓋６を小型、軽量とすることができ、蓋６を簡単に開けることができる。また、図３（ｂ）に示すように、吹抜開口部８の全部を出入口２ａとしてもよい。かかる構造とすれば、拡張床２ｃを設ける必要がなく、屋内階段１を再度階段として利用する際に拡張床２ｃを撤去する必要がない。また、蓋６を全開にすることで入り口を大きくとることができ、大きなものを収納できる。さらに、蓋６を図３（ｂ）の蛇腹方式とすることで、大きな蓋であっても開けやすくすることができる。
【００２２】
図４に示すように、蓋６は様々なタイプの蓋を用いることができる。例えば、図４（ａ）、図４（ｂ）の蓋６のように、蓋６の一辺を軸にして開くものがある。また図４（ｃ）の蓋６のように２枚の蓋を両側に開くセンター開きタイプのものがある。また、図４（ｄ）のロールアップタイプ、図４（ｅ）の複数の蓋６を着脱するもの、その他、スライド式、左右両開きタイプ、上記の蓋を組み合わせたもの等であってもよい。
【００２３】
壁７は、下階３の空間と屋内階段１とを分離するように設けられている。壁７には、中間床５で仕切った空間の下側の空間にアクセスするための扉７ａが設けられている。
【００２４】
このように構成された階段利用構造Ａは、上階２の床下部分である中間上空間Ｓ１ａ（屋内階段１、拡張床２ｃ、周囲壁４、中間床５、壁７で囲まれた空間）を上階２の床下収納として利用できる。また、下階３の壁７からアクセスする中間下空間Ｓ１ｂ（屋内階段１、周囲壁４、中間床５、壁７で囲まれた空間）を通常の収納として利用できる。
【００２５】
ここで、中間段１ａを屋内階段１のほぼ中央の高さに設けたことにより、上階２の床下収納（中間上空間Ｓ１ａ）に収納することが容易になる。下階３の収納（中間下空間Ｓ１ｂ）に収納する場合にも手の届く範囲で収納でき、また収納した物を出しやすく、利用しやすい。
【００２６】
なお、中間床５の位置は屋内階段１のほぼ中央の高さに限定されるものではなく、上階２の世帯の荷物が多い場合には、屋内階段１の下の方に設置して、上階２の世帯の床下収納を増やすことができる。また、逆に下階３の世帯の荷物が多い場合には、屋内階段１の上の方に設置して、下階３の世帯の収納を増やすことができる。
【００２７】
（階段利用構造Ａの施工方法）
次に、階段利用構造Ａの施工方法について説明する。図５は屋内階段１を階段として利用している状態の図である。
【００２８】
上階２と下階３を行き来できなくする場合には、図５に示す状態から、まず、図１、図２に示すように、中間段１ａから周囲壁４に亘って中間床５を設置し、出入口２ａの一部に拡張床２ｃを張る。中間床５は、一辺を屋内階段１の踏み板上に載せ、他の３辺を周囲壁４の躯体に固定することで、重い物Ｇも収納できるような強度とする。また、中間床５の高さを屋内階段１の蹴り上げ高さと同じにし、中間床５と踏み板の上面を同じ高さとすることで、上階２の床下収納（中間上空間Ｓ１ａ）へ下りる際の転倒を抑制できる。
【００２９】
そして、下階３の空間と屋内階段１とを仕切るように壁７を設置する。出入口２ａの拡張床２ｃを張っていない部分に蓋６を設置し、壁７の中間床５より下側に扉７ａを設置する。
【００３０】
なお、介護のため上階と下階との移動をスムーズに行いたい場合や、２世帯から１世帯となり、上階２と下階３を行き来できなくする必要がなくなった場合など、再び屋内階段１を階段として利用する必要がでてくる場合がある。この場合、拡張床２ｃ、中間床５、蓋６、壁７を撤去して、周囲壁４、床２ｂ、３ｂを修復する。これにより、屋内階段１を再び階段として利用できる。
【００３１】
（効果）
本実施形態によれば、上階と下階を行き来できなくする場合や住宅のリフォーム工事等で別の位置に階段を新設したりする場合に不要になる屋内階段１を解体撤去することなく有効活用することができる。
【００３２】
また、屋内階段１の撤去修復作業が不要であるため、簡単な施工でコストをおさえることができる。
【００３３】
また、単に屋内階段１をふさいだ場合には、撤去せずに残した既存階段（屋内階段）は、下階３から手の届く範囲の空間のみを物置などに利用できるが、上階２の床下にあたる部分は全く無駄な空間になってしまう。これに対し、本実施形態では、屋内階段上部である上階２の床下にあたる部分も床下収納として有効活用できる。また、再び屋内階段が必要になった場合に、屋内階段１を撤去していないので、簡単な工事で再度屋内階段１として利用することもできる。
【００３４】
また、屋内階段１の一部をそのまま床下収納内部（中間上空間Ｓ１ａ）に下りる階段として使用でき、重い物Ｇも収納しやすい。
【００３５】
また、出入口２ａに拡張床２ｃを張り、蓋６で覆うことにより、地上階に設置される一般的な床下収納同様、上階の床として使用でき、人の通行の支障にならず且つ強度も確保できる。
【００３６】
［他の実施形態］
次に本発明に係る階段利用構造の他の実施形態について図を用いて説明する。図６は本実施形態に係る階段利用構造の斜視図である。上記第一実施形態と説明の重複する部分については、同一の符号を付して説明を省略する。
【００３７】
図６に示すように、本実施形態の階段利用構造Ｂは、上記第一実施形態の階段利用構造Ａの屋内階段１に変えて、屋内階段２０としたものである。屋内階段２０は、屋内階段の途中に踊り場２０ａを有し、Ｕターンした階段である。
【００３８】
屋内階段２０の中間段は、踊り場２０ａと同じ高さであり、中間床５は、屋内階段２０の中間段（踊り場２０ａ）から周囲壁４に亘って設けられ、階段上空間Ｓ１を中間上空間Ｓ１ａと中間下空間Ｓ１ｂに仕切る。
【００３９】
本実施形態によれば、上記第一実施形態と同様の効果を得ることができるとともに、屋内階段２０はＵターンした階段であるため、屋内階段２０を単にふさいだ場合にはデットスペースなってしまう空間も上記第一実施形態の屋内階段１と比べて多く、さらに有効に屋内階段２０を利用できる。
【００４０】
なお、上記実施形態では、下曲がり階段（屋内階段１）、Ｕターン階段（屋内階段２０）を例に説明したが、本発明はかかる階段に限定されるものではなく、ストレートに延びた直階段等にも適用できる。
【産業上の利用可能性】
【００４１】
住宅のリフォームにおいて、屋内階段が不要になった場合や、必要になった場合に、利用可能である。
【図面の簡単な説明】
【００４２】
【図１】第一実施形態に係る階段利用構造の斜視図である。
【図２】階段利用構造の側断面図である。
【図３】吹抜開口部の斜視図である。
【図４】蓋の形態を示す斜視図である。
【図５】屋内階段を階段として利用している状態の図である。
【図６】他の実施形態に係る階段利用構造の斜視ある。
【符号の説明】
【００４３】
Ａ、Ｂ…階段利用構造
Ｇ…重い物
Ｓ１…階段上空間
Ｓ１ａ…中間上空間
Ｓ１ｂ…中間下空間
１…屋内階段
１ａ…中間段
１ｂ…下りはじめ部位
２…上階
２ａ…出入口
２ｂ…床
２ｃ…拡張床
３…下階
３ｂ…床
４…周囲壁
５…中間床
６…蓋
７…壁
７ａ…扉
８    …吹抜開口部
２０…屋内階段
２０ａ…踊り場
【図１】
2008138381.tif 000003
【図２】
2008138381.tif 000004
【図３】
2008138381.tif 000005
【図４】
2008138381.tif 000006
【図５】
2008138381.tif 000007
【図６】
2008138381.tif 000008